(57)【要約】【課題】複数のランプが同じように点灯制御されても、これらランプの交換時期を分散し得る投写型表示装置を提供する。【解決手段】プロジェクタは、４つのランプ２１１ａ、２１１ｂ、２１１ｃ、２１１ｄを含む光源ユニット２１０と、光源ユニット２１０から入射した光を変調する液晶パネル２３０、２４０、２５０と、各ランプが点灯した積算時間を計測する時間カウンタ４０４、４０５、４０６、４０７と、各ランプの積算時間が、各ランプにそれぞれ設定され、互いに長さの異なる制御用寿命時間に達すると、各ランプの交換を促すための制御を行う制御部４０１とを備える。制御部４０１は、各ランプの交換を促すための制御として、各ランプを点灯しない設定とする。また、ランプ交換報知部５０にランプの交換を促す報知を行わせる。【選択図】図３
2012103417.tif 000002
【特許請求の範囲】
【請求項１】
第１ランプおよび第２ランプを含む光源と、
前記光源から入射した光を変調する光変調素子と、
前記第１ランプが点灯した積算時間を計測する第１計測部と、
前記第２ランプが点灯した積算時間を計測する第２計測部と、
前記各ランプの前記積算時間が、前記各ランプにそれぞれ設定された、互いに長さの異なる寿命時間に達すると、前記各ランプの交換を促すための制御を行う制御部と、を備える、
ことを特徴とする投写型表示装置。
【請求項２】
請求項１に記載の投写型表示装置において、
前記制御部は、前記各ランプの交換を促すための制御として、前記各ランプを点灯させない制御を行う、
ことを特徴とする投写型表示装置。
【請求項３】
請求項１または２に記載の投写型表示装置において、
前記各ランプの交換を報知するための報知部を備え、
前記制御部は、前記各ランプの交換を促すための制御として、前記報知部に前記各ランプの交換を促す報知を行わせる、
ことを特徴とする投写型表示装置。
【請求項４】
請求項１ないし３の何れか一項に記載の投写型表示装置において、
前記各ランプにおける前記積算時間が前記寿命時間に達するまでの残り時間が互いに近づかないように、前記各ランプに設定された前記寿命時間の長さを変更する変更部を備える、
ことを特徴とする投写型表示装置。
【請求項５】
請求項４に記載の投写型表示装置において、
前記変更部は、前記積算時間が短いランプに設定された前記寿命時間を長くし、前記積算時間の長いランプに設定された前記寿命時間を短くする、
ことを特徴とする投写型表示装置。
【請求項６】
請求項４に記載の投写型表示装置において、
前記変更部は、前記第１ランプの前記積算時間と前記第２ランプの前記積算時間との差が所定量より大きくなると、前記各ランプに設定された前記寿命時間を、互いに長さの等しい時間に変更する、
ことを特徴とする投写型表示装置。
【請求項７】
請求項１ないし６の何れか一項に記載の投写型表示装置において、
外部からの操作に基づいて、前記寿命時間を設定する設定部を備える、
ことを特徴とする投写型表示装置。
【発明の詳細な説明】
【技術分野】
【０００１】
本発明は、光源からの光を光変調素子によって変調し、被投写面に投写する投写型表示装置に関する。
【背景技術】
【０００２】
従来、液晶プロジェクタ等の投写型表示装置（以下、「プロジェクタ」という）では、液晶パネルなどの光変調素子よって変調された光が、投写レンズによって被投写面に投写される。光源には、たとえば、ランプが用いられる。ランプは、長く使用されると劣化する。よって、ランプが寿命を迎えると、新たなランプに交換する必要がある。
【０００３】
かかるプロジェクタでは、高輝度化を図るために、複数のランプを備える構成、いわゆる多灯式の構成が採られ得る（特許文献１参照）。各ランプには、通常、同じ性能（スペック）のランプが用いられる。
【先行技術文献】
【特許文献】
【０００４】
【特許文献１】特開２００７−２９３０３３号公報
【発明の概要】
【発明が解決しようとする課題】
【０００５】
上記多灯式のプロジェクタでは、複数のランプ（全てのランプ、あるいは、一部のランプ）が同じように点灯制御される。このため、これらランプの点灯時間は同じように累積されていく。よって、複数のランプが同じ時期に寿命を迎え、交換が必要となることが起こり得る。
【０００６】
こうなると、新たなランプに交換するまでの間、プロジェクタが使用できなくなってしまう虞がある。
【０００７】
本発明は、かかる課題に鑑みてなされたものであり、複数のランプが同じように点灯制御されても、これらランプの交換時期を分散し得る投写型表示装置を提供することを目的とする。
【課題を解決するための手段】
【０００８】
本発明の投写型表示装置は、第１ランプおよび第２ランプを含む光源と、前記光源から入射した光を変調する光変調素子と、前記第１ランプが点灯した積算時間を計測する第１計測部と、前記第２ランプが点灯した積算時間を計測する第２計測部と、前記各ランプの前記積算時間が、前記各ランプにそれぞれ設定された、互いに長さの異なる寿命時間に達すると、前記各ランプの交換を促すための制御を行う制御部とを備える。
【０００９】
たとえば、前記制御部は、前記各ランプの交換を促すための制御として、前記各ランプを点灯させない制御を行う構成とされ得る。あるいは、投写型表示装置が、前記各ランプの交換を報知するための報知部を備えるよう構成され、前記制御部は、前記各ランプの交換を促すための制御として、前記報知部に前記各ランプの交換を促す報知を行わせるような構成とされ得る。
【００１０】
本発明の投写型表示装置によれば、第１ランプおよび第２ランプが同じように点灯され、積算時間が同じように進行していっても、各ランプの交換時期が同時期になるのを防止
できる。
【００１１】
本発明の投写型表示装置において、前記各ランプにおける前記積算時間が前記寿命時間に達するまでの残り時間が互いに近づかないように、前記各ランプに設定された前記寿命時間の長さを変更する変更部が、さらに備えられ得る。
【００１２】
たとえば、前記変更部は、前記積算時間が短いランプに設定された前記寿命時間を長くし、前記積算時間の長いランプに設定された前記寿命時間を短くするような構成とされ得る。
【００１３】
また、変更部は、前記第１ランプの前記積算時間と前記第２ランプの前記積算時間との差が所定量より大きくなると、前記各ランプに設定された前記寿命時間を、互いに長さの等しい時間に変更するような構成とされ得る。
【００１４】
投写型表示装置の使用態様によって、第１ランプおよび第２ランプの一方が点灯され、他方が点灯されないような運転が時々なされる場合には、各ランプの積算時間に差が生じることが起こり得る。このような場合、各ランプの寿命時間が初期の値のままであると、互いの残り時間の差が小さくなり、各ランプの積算時間が同時期に寿命時間に達してしまう虞がある。
【００１５】
これに対し、上記のような変更部が配されると、残り時間が互いに近づかないように、前記各ランプに設定された前記寿命時間の長さが変更されるので、各ランプの積算時間に差が生じても、各ランプの積算時間が同時期に寿命時間に達してしまうのを防止できる。
【００１６】
本発明の投写型表示装置において、外部からの操作に基づいて、前記寿命時間を設定する設定部が、さらに備えられ得る。
【００１７】
このような構成とすれば、ユーザ自身が、各ランプに対して所望の寿命時間を設定できる。
【発明の効果】
【００１８】
以上のとおり、本発明によれば、複数のランプが同じように点灯制御されても、これらランプの交換時期を分散し得る投写型表示装置を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係るプロジェクタの構成を示す外観斜視図である。
【図２】実施の形態に係る光学エンジンの構成を示す図である。
【図３】実施の形態に係るプロジェクタの構成を示すブロック図である。
【図４】実施の形態に係るランプ管理制御処理に用いられる各種情報の内容を示す図である。
【図５】実施の形態に係る分散制御モードの設定を行うためのモード設定処理について説明するための図である。
【図６】実施の形態に係るランプ管理制御処理の動作手順を示すフローチャートである。
【図７】実施の形態に係るランプの点灯制御処理の動作手順を示すフローチャートである。
【図８】変更例１に係るプロジェクタについて説明するための図である。
【図９】変更例２に係るプロジェクタについて説明するための図である。
【図１０】変更例３に係るプロジェクタについて説明するための図である。
【発明を実施するための形態】
【００２１】
以下、図面を参照して、実施の形態に係るプロジェクタについて説明する。
【００２２】
図１は、プロジェクタの構成を示す図である。同図を参照して、プロジェクタは、横長の略直方体形状を有するキャビネット１０を備えている。キャビネット１０には、前面左側に投写窓１０１が形成されており、前面右側および右側面にキャビネット１０内部から排気を行うための排気口１０２、１０３がそれぞれ形成されている。また、キャビネット１０の上面には、操作部１０４が設けられている。操作部１０４には、複数の操作キーが配されている。
【００２３】
キャビネット１０の内部には、光学エンジン２０および投写レンズ３０が配されている。光学エンジン２０は、映像信号に基づいて変調された映像光を生成する。光学エンジン２０には、投写レンズ３０が装着されており、投写レンズ３０の前端部が、投写窓１０１から前方に露出している。投写レンズ３０は、光学エンジン２０で生成された映像光を、プロジェクタの前方に配されたスクリーンに拡大投写する。
【００２４】
図２は、光学エンジン２０の構成を示す図である。
【００２５】
図２に示すように、光学エンジン２０は、光源ユニット２１０と、導光光学系２２０と、３つの透過型の液晶パネル２３０、２４０、２５０と、ダイクロイックプリズム２６０とを備えている。なお、液晶パネル２３０、２４０、２５０の入射側と出射側には図示しない偏光板が配されている。光源ユニット２１０は、本発明の光源に相当し、液晶パネル２３０、２４０、２５０は、本発明の光変調素子に相当する。
【００２６】
光源ユニット２１０は、Ａランプ２１１ａ、Ｂランプ２１１ｂ、Ｃランプ２１１ｃおよびＤランプ２１１ｄの４つのランプと、各ランプ２１１ａ、２１１ｂ、２１１ｃ、２１１ｄに対応する４つのＵＶカットガラス２１２ａ、２１２ｂ、２１２ｃ、２１２ｄおよび４つの反射ミラー２１３ａ、２１３ｂ、２１３ｃ、２１３ｄと、反射ミラー２１３ａ、２１３ｂ、２１３ｃ、２１３ｄの前方に配されたＵＶ／ＩＲカットガラス２１４とを備えている。後側のランプ２１１ｃ、２１１ｄ、ＵＶカットガラス２１２ｃ、２１２ｄおよび反射ミラー２１３ｃ、２１３ｄは、前側のランプ２１１ａ、２１１ｂ、ＵＶカットガラス２１２ａ、２１２ｂおよび反射ミラー２１３ａ、２１３ｂよりも高い位置に配されている。このように、本実施の形態のプロジェクタは、いわゆる４灯式のプロジェクタである。
【００２７】
各ランプ２１１ａ、２１１ｂ、２１１ｃ、２１１ｄは、白色光を発する発光体と、発光体から発せられた光を反射するリフレクターとを備えている。発光体としては、たとえば、超高圧水銀ランプ、キセノンランプ等が用いられる。各ランプ２１１ａ、２１１ｂ、２１１ｃ、２１１ｄは、互いに性能（スペック）が等しいランプである。
【００２８】
各ランプ２１１ａ、２１１ｂ、２１１ｃ、２１１ｄから出射された光は、ＵＶカットガラス２１２ａ、２１２ｂ、２１２ｃ、２１２ｄを通過して紫外線が除去された後、反射ミラー２１３ａ、２１３ｂ、２１３ｃ、２１３ｄで反射されて前方に向かい、ＵＶ／ＩＲカットガラス２１４を通過してさらに紫外線が除去されて、光源ユニット２１０から出射される。
【００２９】
なお、各ランプ２１１ａ、２１１ｂ、２１１ｃ、２１１ｄおよび反射ミラー２１３ａ、
２１３ｂ、２１３ｃ、２１３ｄは、各ランプ２１１ａ、２１１ｂ、２１１ｃ、２１１ｄからの４つの光が重畳して光源ユニット２１０から出射されるように、その向きが調整されている。
【００３０】
光源ユニット２１０から出射された白色光は、導光光学系２２０によって赤色波長帯の光（以下、「Ｒ光」という）と、緑色波長帯の光（以下、「Ｇ光」という）と、青色波長帯の光（以下、「Ｂ光」という）に分離され、液晶パネル２３０、２４０、２５０に照射される。これら液晶パネル２３０、２４０、２５０によって変調されたＲ光、Ｇ光、Ｂ光は、ダイクロイックプリズム２６０によって色合成され、映像光として出射される。
【００３１】
なお、光学エンジン２０を構成する光変調素子としては、上記透過型の液晶パネル２３０、２４０、２５０の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３２】
図３は、プロジェクタの構成を示すブロック図である。
【００３３】
プロジェクタは、上述した構成に加えて、制御回路部４０と、ランプ交換報知部５０と、電源部６０とを備えている。
【００３４】
制御回路部４０は、制御部４０１と、記憶部４０２と、キー入力部４０３と、Ａカウンタ４０４、Ｂカウンタ４０５、Ｃカウンタ４０６およびＤカウンタ４０７の４つの時間カウンタと、映像信号入力部４０８と、映像信号処理部４０９と、パネル駆動部４１０と、Ａランプ駆動部４１１、Ｂランプ駆動部４１２、Ｃランプ駆動部４１３およびＤランプ駆動部４１４の４つのランプ駆動部とを備えている。
【００３５】
キー入力部４０３は、操作部１０４のキー操作に応じた入力信号を制御部４０１に出力する。
【００３６】
Ａカウンタ４０４は、Ａランプ２１１ａが点灯した積算時間（以下、「点灯積算時間」という）をカウントする。Ｂカウンタ４０５は、Ｂランプ２１１ｂの点灯積算時間をカウントする。Ｃカウンタ４０６は、Ｃランプ２１１ｃの点灯積算時間をカウントする。Ｄカウンタ４０７は、Ｄランプ２１１ｄの点灯積算時間をカウントする。
【００３７】
なお、Ａランプ２１１ａ、Ｂランプ２１１ｂ、Ｃランプ２１１ｃおよびＤランプ２１１ｄ、ならびに、Ａカウンタ４０４、Ｂカウンタ４０５、Ｃカウンタ４０６およびＤカウンタ４０７のうち、任意の１つのランプが本発明の第１ランプに相当し、それに対応する時間カウンタが本発明の第１計測部に相当する。また、残る３つのランプのうちの１つのランプが本発明の第２ランプに相当し、それに対応する時間カウンタが本発明の第２計測部に相当する。
【００３８】
映像信号入力部４０８は、ＲＢＧ信号、コンポジット信号等の各種映像信号に対応する各種入力端子を有し、外部から入力された映像信号を映像信号処理部４０９へ出力する。
【００３９】
映像信号処理部４０９は、映像信号入力部４０８から入力された映像信号を液晶パネル２３０、２４０、２５０で表示できるＲＧＢの映像信号に変換してパネル駆動部４１０に出力する。また、映像信号処理部４０９は、制御部４０１からの制御信号に従って、後述する設定メニュー画面を投写するための映像信号を生成し、パネル駆動部４１０に出力する。設定メニュー画面の画像データは、記憶部４０２に記憶されている。
【００４０】
パネル駆動部４１０は、入力された映像信号および制御部４０１からの制御信号に従って液晶パネル２３０、２４０、２５０を駆動する。
【００４１】
Ａランプ駆動部４１１は、制御部４０１からの制御信号に従ってＡランプ２１１ａを駆動する。Ｂランプ駆動部４１２は、制御部４０１からの制御信号に従ってＢランプ２１１ｂを駆動する。Ｃランプ駆動部４１３は、制御部４０１からの制御信号に従ってＣランプ２１１ｃを駆動する。Ｄランプ駆動部４１４は、制御部４０１からの制御信号に従ってＤランプ２１１ｄを駆動する。
【００４２】
記憶部４０２は、ＲＡＭ、ＲＯＭ等で構成されている。記憶部４０２には、制御部４０１に制御機能を付与するための制御プログラムが記憶されている。制御部４０１は、ＣＰＵを備え、かかる制御プログラムに従って各部を制御する。制御部４０１は、本発明の制御部、変更部および設定部に相当する。
【００４３】
ランプ交換報知部５０は、第１報知部５０１、第２報知部５０２、第３報知部５０３および第４報知部５０４により構成されている。ランプ交換報知部５０は、本発明の報知部に相当する。
【００４４】
第１報知部５０１は、Ａランプ２１１ａの交換が必要な旨を報知する。第２報知部５０２は、Ｂランプ２１１ｂの交換が必要な旨を報知する。第３報知部５０３は、Ｃランプ２１１ｃの交換が必要な旨を報知する。第４報知部５０４は、Ｄランプ２１１ｄの交換が必要な旨を報知する。これら報知部５０１、５０２、５０３、５０４は、たとえば、ＬＥＤを含む。この場合、たとえば、ランプ交換が必要になると、ＬＥＤが所定の色で発光する。
【００４５】
この他、ランプ交換報知部５０は、１つのＬＣＤで構成することもできる。この場合、「Ａランプを交換してください」との文字表示など、ランプの交換を促す表示がＬＣＤになされる。さらに、ランプ交換報知部５０は、スピーカで構成することができる。この場合、たとえば、「Ａランプを交換してください」との音声報知など、ランプの交換を促す音声報知がなされる。
【００４６】
電源部６０は、制御回路部４０の各部に電源を供給する。
【００４７】
本実施の形態のプロジェクタでは、ユーザは、画像の明るさに関して、通常モードと省電力モードとを選択することができる。通常モードが選択されると、制御部４０１は、運転時に全てのランプ２１１ａ、２１１ｂ、２１１ｃ、２１１ｄをともに点灯させる。一方、省電力モードが選択されると、制御部４０１は、運転時に一部のランプ、たとえば、前側のＡランプ２１１ａおよびＢランプ２１１ｂをともに点灯させる。なお、省電力モード時に点灯するランプの個数は１つでも３つでも良い。点灯するランプも予め任意に決められれば良い。また、ユーザが点灯するランプを設定できるようにしても良い。
【００４８】
各ランプ２１１ａ、２１１ｂ、２１１ｃ、２１１ｄは、経年劣化により、長く使用されているうちに適正な輝度で点灯しなくなる。また、全く点灯しなくなる。そこで、各ランプ２１１ａ、２１１ｂ、２１１ｃ、２１１ｄが使用できなくなるタイミングで、ユーザにランプ交換を促す必要がある。１つのランプが使用できなくなっても、他のランプによってある程度の輝度は確保できる。よって、新たなランプがすぐに入手できなくても、プロジェクタを継続して使用できる。このため、プロジェクタの使用に重点を置けば、ランプ２１１ａ、２１１ｂ、２１１ｃ、２１１ｄの交換時期は、一時期に重なるのではなく分散されることが望ましい場合もある。
【００４９】
本実施の形態では、ランプを管理するための制御処理が実行される。ランプ管理制御処理は、ランプ２１１ａ、２１１ｂ、２１１ｃ、２１１ｄの交換時期を分散させるための分散制御モードを含む。ランプ管理制御処理に用いられる各種情報は、記憶部４０２に記憶されている。
【００５０】
図４はランプ管理制御処理に用いられる各種情報の内容を示す図である。図４に示ように、記憶部４０２には、各ランプ２１１ａ、２１１ｂ、２１１ｃ、２１１ｄに対応付けられて、点灯積算時間（ＴＡＬ）、標準寿命時間（ＴＬＳ）、制御用寿命時間（ＴＬＣ）、寿命到達フラグ（ＬＦ）が記憶されている。また、記憶部４０２には、モード切替フラグ（ＭＦ）が記憶されている。
【００５１】
点灯積算時間（ＴＡＬ）は、初期値が「０」であり、運転が終了する度に記憶部４０２に上書きされる。
【００５２】
標準寿命時間は（ＴＬＳ）、ランプの性能（スペック）に基づいて定められた寿命時間（たとえば、ランプメーカが定める定格寿命時間）であり、性能が等しければ同じ時間となる。よって、全てのランプ２１１ａ、２１１ｂ、２１１ｃ、２１１ｄに同じ時間Ｔ０（たとえば、３０００時間）が設定される。標準寿命時間は、分散制御モードが設定されていない場合に、各ランプ２１１ａ、２１１ｂ、２１１ｃ、２１１ｄの寿命時間として設定される。
【００５３】
制御用寿命時間（ＴＬＣ）は、分散制御モードに用いられる寿命時間である。制御用寿命時間は、標準寿命時間に基づいて決められる、各ランプ２１１ａ、２１１ｂ、２１１ｃ、２１１ｄ毎に長さの異なる寿命時間であり、標準寿命時間に基づいて決めることができる。各制御用寿命時間は、たとえば、標準寿命時間として設定される時間Ｔ０に、互いに長さが異なる付加時間Ｔ１、Ｔ２、Ｔ３、Ｔ４（たとえば、３０時間、６０時間、９０時間、１２０時間）を付加した時間Ｔ０＋Ｔ１、Ｔ０＋Ｔ２、Ｔ０＋Ｔ３、Ｔ０＋Ｔ４（たとえば、２０３０時間、２０６０時間、２０９０時間、２１２０時間）とされる。制御用寿命時間は、分散制御モードが設定されている場合に、各ランプ２１１ａ、２１１ｂ、２１１ｃ、２１１ｄの寿命時間として設定される。
【００５４】
寿命到達フラグ（ＬＦ）は、各ランプ２１１ａ、２１１ｂ、２１１ｃ、２１１ｄの点灯積算時間が、各ランプ２１１ａ、２１１ｂ、２１１ｃ、２１１ｄに設定された寿命時間に達したか否かを判定するために用いられるフラグである。また、モード切替フラグ（ＭＦ）は、分散制御モードが設定されているか否かを判定するために用いられるフラグである。寿命到達フラグおよびモード切替フラグは、最初は「０」の状態にある。
【００５５】
図５は、分散制御モードの設定を行うためのモード設定処理について説明するための図である。図５（ａ）は、モード設定処理の動作手順を示すフローチャートである。図５（ｂ）は、スクリーンに投写される設定メニュー画面を示す図である。
【００５６】
図５を参照して、ユーザによって、設定メニュー画面を表示させるための操作が行われると、制御部４０１は、設定メニュー画面をスクリーンに投写させる（Ｓ１０１）。図５（ｂ）に示すように、設定メニュー画面には、分散制御モードの設定を行うか否かを選択するための表示がなされる。
【００５７】
分散制御モードを設定する場合、ユーザは、設定メニュー画面上で「ＯＮ」」を選択する。制御部４０１は、分散制御モードが設定された否かを判定し（Ｓ１０２）、設定されていれば（Ｓ１０２：ＹＥＳ）、モード切替フラグ（ＭＦ）を「１」の状態にセットする
（Ｓ１０３）。一方、分散制御モードを設定しない場合、ユーザは、設定メニュー画面上で「ＯＦＦ」」を選択する。制御部４０１は、分散制御モードが設定されていなければ（Ｓ１０２：ＮＯ）、モード切替フラグ（ＭＦ）を「０」の状態に維持する（Ｓ１０４）。
【００５８】
図６は、ランプ管理制御処理の動作手順を示すフローチャートである。各ランプ２１１ａ、２１１ｂ、２１１ｃ、２１１ｄについて同じランプ管理制御処理が実行される。以下、Ａランプ２１１ａを例にとって説明する。
【００５９】
プロジェクタの運転が開始され、Ａランプ２１１ａが点灯されると（Ｓ２０１：ＹＥＳ）、制御部４０１は、記憶部４０２からＡランプ２１１ａに対応する点灯積算時間（ＴＡＬ）を読み出す。そして、Ａカウンタ４０４に、読み出した点灯積算時間の続きから点灯積算時間のカウントを開始させる（Ｓ２０３）。
【００６０】
次に、制御部４０１は、モード切替フラグ（ＭＦ）の状態を判定する（Ｓ２０４）。分散制御モードが設定されており、モード切替フラグが「１」状態にあれば、制御部４０１は、記憶部４０２からＡランプ２１１ａに対応する制御用寿命時間（ＴＬＣ）を読み出す。そして、読み出した制御用寿命時間をＡランプ２１１ａの寿命時間として設定する。
【００６１】
その後、制御部４０１は、Ａランプ２１１ａが点灯している間（Ｓ２０６：ＮＯ）、Ａランプ２１１ａの点灯積算時間が制御用寿命時間に達したか否かを監視する（Ｓ２０５）。
【００６２】
点灯積算時間が制御用寿命時間に達しないまま（Ｓ２０５：ＮＯ）、Ａランプ２１１ａが消灯されると（Ｓ２０６：ＹＥＳ）、制御部４０１は、点灯積算時間のカウントを停止し（Ｓ２０７）、その時点の点灯積算時間を記憶部４０２に書き込む（Ｓ２０８）。
【００６３】
一方、Ａランプ２１１ａの点灯中に点灯積算時間が制御用寿命時間に達すると、制御部４０１は、Ａランプ２１１ａを強制的に消灯する（Ｓ２０９）。そして、制御部４０１は、ユーザに対してランプの交換を促す報知を、第１報知部５０１に行わせる（Ｓ２１０）。さらに、制御部４０１は、寿命到達フラグ（ＬＦ）を「１」の状態にセットする。
【００６４】
なお、分散制御モードが設定されていない場合には、ステップＳ２０４においてモード切替フラグが「０」の状態であると判定される（Ｓ２０４：ＮＯ）。この場合、制御部４０１は、記憶部４０２からＡランプ２１１ａに対応する標準寿命時間（ＴＬＳ）を読み出す。そして、読み出した標準寿命時間をＡランプ２１１ａの寿命時間として設定する。
【００６５】
Ａランプ２１１ａの点灯中に点灯積算時間が標準寿命時間に達すると（Ｓ２１２：ＹＥＳ）、制御部４０１は、ユーザに対してランプの交換を促す報知を、第１報知部５０１に行わせる（Ｓ２１３）。
【００６６】
図７は、ランプの点灯制御処理の動作手順を示すフローチャートである。各ランプ２１１ａ、２１１ｂ、２１１ｃ、２１１ｄについて同じ点灯制御処理が実行される。以下、Ａランプ２１１ａを例にとって説明する。
【００６７】
プロジェクタの運転が開始されると（Ｓ３０１：ＹＥＳ）、制御部４０１は、Ａランプ２１１ａに対応する寿命到達フラグ（ＬＦ）が「１」の状態にあるか否かを判定する（Ｓ３０２）。Ａランプ２１１ａの点灯積算時間が制御用寿命時間に達しておらず、寿命到達フラグが「１」の状態でなければ（Ｓ３０２：ＮＯ）、制御部４０１は、Ａランプ２１１ａを点灯させる（Ｓ３０３）。こうして、運転が終了すれば（Ｓ３０４：ＹＥＳ）、Ａランプ２１１ａを消灯する（Ｓ３０５）。
【００６８】
一方、ステップＳ３０２において、寿命到達フラグが「１」の状態であると判定すると（Ｓ３０２：ＹＥＳ）、制御部４０１は、Ａランプ２１１ａを消灯したままの状態とする（Ｓ３０６）。なお、寿命到達フラグは、Ａランプ２１１ａが新たなランプに交換され、ユーザによりリセット操作がなされると、「０」の状態にリセットされる。
【００６９】
以上、本実施の形態では、ユーザにより分散制御モードの設定がなされた場合には、各ランプ２１１ａ、２１１ｂ、２１１ｃ、２１１ｄの寿命時間として、互いに長さの異なる制御用寿命時間が設定される。このため、通常モードでの運転が主として行われ、各ランプ２１１ａ、２１１ｂ、２１１ｃ、２１１ｄがともに点灯されることにより、それらの点灯積算時間が同じように進行しても、同様な時期に、各ランプ２１１ａ、２１１ｂ、２１１ｃ、２１１ｄの点灯積算時間が制御用寿命時間に達することが起き難い。よって、各ランプ２１１ａ、２１１ｂ、２１１ｃ、２１１ｄの交換時期を分散できるので、ランプの交換に伴ってプロジェクタが使用できなくなるのを防止できる。
【００７０】
＜変更例１＞
図８は、変更例１に係るプロジェクタについて説明するための図である。図８（ａ）は、各ランプ２１１ａ、２１１ｂ、２１１ｃ、２１１ｄの点灯積算時間に応じて、各ランプ２１１ａ、２１１ｂ、２１１ｃ、２１１ｄに対応する制御用寿命時間を変更する変更処理の動作手順を示すフローチャートである。図８（ｂ）は、変更例１が解決する課題について説明するための図である。図８（ｃ）は、変更例１の効果について説明するための図である。
【００７１】
プロジェクタの使用態様によっては、各ランプ２１１ａ、２１１ｂ、２１１ｃ、２１１ｄの一部が点灯され、他方が点灯されないような運転が時々なされる場合もある。このような場合、各ランプ２１１ａ、２１１ｂ、２１１ｃ、２１１ｄの点灯積算時間に差が生じ得る。図８（ａ）に示すように、各ランプ２１１ａ、２１１ｂ、２１１ｃ、２１１ｄの制御用寿命時間（ＴＬＣ）が初期のままであると、制御用寿命時間（ＴＬＣ）が短いランプの点灯積算時間（ＴＡＬ）が相対的に短くなり、制御用寿命時間（ＴＬＣ）の長いランプの点灯積算用時間（ＴＡＬ）が相対的に長くなれば、各ランプにおける点灯積算時間が制御用寿命時間に達するまでの残り時間（ＴＬＣ−ＴＡＬ）の差が、各ランプ間で小さくなり得る。こうなると、各ランプ２１１ａ、２１１ｂ、２１１ｃ、２１１ｄの交換時期が同時期となってしまう虞がある。
【００７２】
なお、各ランプ２１１ａ、２１１ｂ、２１１ｃ、２１１ｄが、一通り、異なる時期に新たなランプに交換された場合にも、互いの点灯積算時間に差が生じ得る。
【００７３】
そこで、本変更例のように、各ランプ２１１ａ、２１１ｂ、２１１ｃ、２１１ｄの点灯積算時間に応じて、各ランプ２１１ａ、２１１ｂ、２１１ｃ、２１１ｄに対応する制御用寿命時間を変更する変更処理を実行することができる。変更処理は、プロジェクタの運転が終了する度に実行されても良いし、一定の期間毎に実行されても良い。
【００７４】
図８（ａ）を参照して、制御部４０１は、まず、各ランプ２１１ａ、２１１ｂ、２１１ｃ、２１１ｄの点灯積算時間（ＴＡＬ）を記憶部４０２から取得して、取得した点灯時間を互いに比較する。そして、各ランプ２１１ａ、２１１ｂ、２１１ｃ、２１１ｄを点灯積算時間が長い順に並べる（Ｓ４０１）。制御部４０１は、点灯積算時間が長いランプほど、短い制御用寿命時間を割り当てる（Ｓ４０２）。そして、変更した制御用寿命時間を記憶部４０２に書き込む（Ｓ４０３）。
【００７５】
これにより、図８（ｃ）に示すように、点灯積算時間（ＴＡＬ）が短いランプの制御用
寿命時間（ＴＬＣ）が相対的に長くなり、点灯積算用時間（ＴＡＬ）が長いランプの制御用寿命時間（ＴＬＣ）が相対的に短くなる。これにより、各ランプ間での残り時間（ＴＬＣ−ＴＡＬ）の差が大きくなる。
【００７６】
このように、本変更例の構成では、各ランプ２１１ａ、２１１ｂ、２１１ｃ、２１１ｄに点灯積算時間の差が生じても、残り時間が互いに近づかないように、前記各ランプに対応する制御用寿命時間の長さが変更される。よって、各ランプ２１１ａ、２１１ｂ、２１１ｃ、２１１ｄの点灯積算時間に差が生じても、各ランプ２１１ａ、２１１ｂ、２１１ｃ、２１１ｄの交換時期が同時期となってしまうのを防止できる。なお、本変更例において、制御部４０１は、本発明の変更部に相当する。
【００７７】
＜変更例２＞
図９は、変更例２に係るプロジェクタについて説明するための図である。図９（ａ）は、変更例２に係る変更処理の動作手順を示すフローチャートである。図９（ｂ）は、変更例２の効果について説明するための図である。
【００７８】
変更例１の変更処理に替えて、変更例２の変更処理を実行することもできる。
【００７９】
図９（ａ）を参照して、制御部４０１は、まず、各ランプ２１１ａ、２１１ｂ、２１１ｃ、２１１ｄの点灯積算時間（ＴＡＬ）を記憶部４０２から取得して、取得した点灯時間を互いに比較し、各ランプ２１１ａ、２１１ｂ、２１１ｃ、２１１ｄを点灯積算時間が長い順に並べる（Ｓ５０１）。
【００８０】
次に、制御部４０１は、順位が隣り合うランプ間の点灯積算時間の時間差（ΔＴ）をそれぞれ算出する。制御部４０１は、全ての時間差が予め定めた閾値（たとえば、３０時間）以上であれば（Ｓ５０３：ＹＥＳ）、全ての制御用寿命時間を等しい長さに変更する。たとえば、標準寿命時間と等しい時間に変更する。あるいは、何れかの制御用寿命時間と等しい時間に変更する。そして、変更した制御用寿命時間を記憶部４０２に書き込む（Ｓ５０５）。
【００８１】
これにより、図９（ｂ）に示すように、各ランプ間での残り時間（ＴＬＣ−ＴＡＬ）の差が大きくなる。
【００８２】
このように、本変更例の構成においても、変更例１と同様、各ランプ２１１ａ、２１１ｂ、２１１ｃ、２１１ｄの点灯積算時間に差が生じたときに、各ランプ２１１ａ、２１１ｂ、２１１ｃ、２１１ｄの交換時期が同時期となってしまうのを防止できる。なお、本変更例において、制御部４０１は、本発明の変更部に相当する。
【００８３】
＜変更例３＞
図１０は、変更例３に係るプロジェクタについて説明するための図である。図１０（ａ）は、変更例３に係る、モード設定処理の動作手順を示すフローチャートである。図１０（ｂ）は、変更例３に係る、スクリーンに投写される設定メニュー画面を示す図である。
【００８４】
本変更例は、分散制御モードが設定された際に、制御用寿命時間の設定を、ユーザ自身が行えるようにするものである。図１０（ａ）のステップＳ６０１からＳ６０４の処理については、上記実施の形態における図５（ａ）のステップＳ１０１からＳ１０４と同様であり、説明を省略する。
【００８５】
本変更例では、図１０（ｂ）に示すように、設定メニュー画面には、分散制御モードに設定するか否かを選択するための表示に加えて、制御用寿命時間の設定を手動（ＭＡＮＵ
ＡＬ）行うか、自動（ＡＵＴＯ）で行うかを選択するための表示、および、付加時間を設定するための表示がなされる。ユーザは、制御用寿命時間を自身で設定する場合、「ＭＡＮＵＡＬ」の項目を選択し、各ランプに所望の付加時間を入力する。上述したように、制御用寿命時間は、標準寿命時間に付加時間を付加したものである。
【００８６】
制御部４０１は、分散制御モードに設定された場合、手動設定が選択されていれば（Ｓ６０５：ＹＥＳ）、付加時間の入力が完了したか否かを判定する（Ｓ６０６）。そして、付加時間の入力が完了したと判定すると、入力された付加時間を標準寿命時間に加算することにより、各ランプ２１１ａ、２１１ｂ、２１１ｃ、２１１ｄに対応する制御用寿命時間を生成する。制御部４０１は、生成された制御用寿命時間を記憶部４０２に書き込む（Ｓ６０７）。
【００８７】
なお、自動設定が選択されている場合（Ｓ６０５：ＮＯ）、制御用寿命時間は、図４に示す初期の設定値とされる。
【００８８】
また、ユーザに入力される付加時間が、互いに異なる値となるよう、たとえば、２つ以上のランプに同じ数値が入力されると、警報が報知されるような構成とされても良い。
【００８９】
このように、本変更例では、ユーザ自身がランプの寿命時間を所望の時間に設定することができ、利便性が高まる。なお、本変更例において、制御部４０１は、本発明の設定部に相当する。
【００９０】
＜その他＞
以上、本実施の形態について説明したが、本発明は上記実施の形態および変更例に何ら制限されるものではなく、また、本発明の実施形態も、上記実施の形態および変更例に以外に、種々の変更が可能である。
【００９１】
たとえば、上記実施の形態では、各ランプ２１１ａ、２１１ｂ、２１１ｃ、２１１ｄに対応する制御用寿命時間が、全て異なる時間に設定されている。しかしながら、これに限らず、たとえば、４つのランプ２１１ａ、２１１ｂ、２１１ｃ、２１１ｄのうち、２つランプに対応する制御用寿命時間が等しくされるとともに、他の２つのランプに対応する制御用寿命時間が等しくされ、これら２つの制御用寿命時間が異なる時間とされても良い。この場合、一方の２つのランプの中の１つが、本発明の第１ランプに相当し、他方の２つのランプの中の１つが、本発明の第２ランプに相当することとなる。
【００９２】
また、上記実施の形態では、記憶部４０２に、直接、各ランプ２１１ａ、２１１ｂ、２１１ｃ、２１１ｄに対応する制御用寿命時間が記憶されている。しかしながら、記憶部４０２には、制御用寿命時間ではなく、各ランプ２１１ａ、２１１ｂ、２１１ｃ、２１１ｄに対応する付加時間が記憶されても良い。この場合、制御部４０１は、分散制御モードが設定されると、記憶部４０２から標準寿命時間と付加時間とを読み出し、標準寿命時間に付加時間を加算して制御用寿命時間を生成するような構成とされる。
【００９３】
さらに、上記実施の形態では、制御用寿命時間は、標準寿命時間に付加時間を加算した時間とされている。しかしながら、これに限らず、制御用寿命時間は、標準寿命時間から所定の除去時間を除算した時間とされても良い。このようにすれば、ランプの使用時間は短くなるが、付加時間を加算する構成と比べて、点灯積算時間が制御用寿命時間に達する前にランプ切れが生じてしまうリスクを小さくできる。この他、たとえば、２つのランプに対応する制御用寿命時間が、標準寿命時間に付加時間を加算した時間とされ、他の２つランプに対応する制御用寿命時間が、標準寿命時間から除去時間を除算した時間とされても良い。要は、制御用寿命時間は、標準寿命時間に基づいて生成されれば良い。
【００９４】
また、上記実施の形態では、点灯積算時間が制御用寿命時間に達すると、制御用寿命時間に達したランプを消灯するとともに、そのランプの寿命フラグを「１」の状態とすることにより、その後の運転において、そのランプを点灯しないようにしている。さらに、ランプ交換報知部５０によりランプの交換を促す報知を行うようにしている。しかしながら、ランプを消灯するとともに寿命フラグを「１」の状態とする制御のみを行うようにしても良い。あるいは、ランプ交換報知部５０による報知のみを行うようにしても良い。
【００９５】
さらに、上記実施の形態では、ランプ交換報知部５０が設けられている。しかしながら、ランプ交換報知部５０を設けずに、ＯＳＤ（On Screen Display）機能を用いて、投写される画像に、「Ａランプを交換してください」との表示など、ランプの交換を促す表示を重ねるようにしても良い。この場合、ランプの交換表示が重ねられた画像は、映像信号処理部４０９で作成される。よって、映像信号処理部４０９が本発明の報知部に相当することとなる。
【００９６】
この他、本発明の実施の形態は、特許請求の範囲に示された技術的思想の範囲内において、適宜、種々の変更が可能である。
【符号の説明】
【００９７】
２１０  光源ユニット
２１１ａ  Ａランプ
２１１ｂ  Ｂランプ
２１１ｃ  Ｃランプ
２１１ｄ  Ｄランプ
２３０、２４０、２５０  液晶パネル
４０  制御回路部
４０１  制御部
４０４  Ａカウンタ
４０５  Ｂカウンタ
４０６  Ｃカウンタ
４０７  Ｄカウンタ
５０  ランプ交換報知部
【図１】
2012103417.tif 000003
【図２】
2012103417.tif 000004
【図３】
2012103417.tif 000005
【図４】
2012103417.tif 000006
【図５】
2012103417.tif 000007
【図６】
2012103417.tif 000008
【図７】
2012103417.tif 000009
【図８】
2012103417.tif 000010
【図９】
2012103417.tif 000011
【図１０】
2012103417.tif 000012